(57)【要約】【課題】本発明の目的は、概括的には、メディアインターフェースの双方向通信を提供するためのオペレーションに関する。【解決手段】本発明に係る方法の或る実施形態は、第１装置を、第２装置に、一方向データ送信用の複数の通信チャネルを含んでおり且つメディアプロトコルに従っているメディアインターフェースを介して、接続する段階を含んでいる。本方法は、更に、第１装置と第２装置を双方向データ送信用に構成する段階であって、双方向データ送信がネットワークプロトコルに準じて行われるように、構成する段階と、双方向データを第１装置と第２装置の間でメディアインターフェースを介して送信する段階とを提供している。【選択図】図３
2014060723.tif 000002
【特許請求の範囲】
【請求項１】
方法において、
第１装置を、第２装置に、一方向データ送信用の複数の通信チャネルを含んでいて且つメディアプロトコルに従っているメディアインターフェースを介して接続する段階と、
前記第１装置と前記第２装置を、双方向データ送信用に構成する段階であって、前記双方向データ送信がネットワークプロトコルに準じて行われるように、構成する段階と、
双方向データを前記第１装置と前記第２装置の間で前記メディアインターフェースを介して送信する段階と、から成る方法。
【請求項２】
前記第１装置は前記メディアプロトコル用の送信用装置であり、前記第２装置は受信用装置である、請求項１に記載の方法。
【請求項３】
前記双方向データを送信する段階は、データを前記第１装置から前記第２装置へ前記複数の通信チャネルの第１チャネルを介して送信する段階と、データを前記第２装置から前記第１装置へ前記複数の通信チャネルの第２チャネルを介して送信する段階と、を含んでいる、請求項１に記載の方法。
【請求項４】
前記複数の通信チャネルは、１つ又はそれ以上のデータチャネルを含んでおり、前記第１チャネルは第１データチャネルである、請求項３に記載の方法。
【請求項５】
前記第２チャネルは、双方向データ送信では、一方向データ送信時の前記第２チャネルの方向とは逆の方向に作動する、請求項３に記載の方法。
【請求項６】
前記第２チャネルは、前記第２チャネルの一方向データ通信のためのオペレーションを損なうことなく、双方向データ通信に使用することができるチャネルである、請求項５に記載の方法。
【請求項７】
前記第２チャネルは、クロックチャネルである、請求項５に記載の方法。
【請求項８】
前記メディアインターフェースは、ハイ-デフィニション・マルチメディア・インタフェース（ＨＤＭＩ）である、請求項３に記載の方法。
【請求項９】
前記第１装置が、前記第２装置が双方向データ送信に利用可能であることを発見する段階を更に含んでいる、請求項１に記載の方法。
【請求項１０】
前記ネットワークプロトコル標準はイーサネットである、請求項１に記載の方法。
【請求項１１】
前記第１装置を第３装置に第２メディアインターフェースを介して接続する段階を更に含んでいる、請求項１に記載の方法。
【請求項１２】
器械において、
一方向データ送信用の複数の通信チャネルを含んでいる、メディアプロトコル用のメディアインターフェース接続であって、前記メディアインターフェース接続の複数のチャネルは、ネットワークプロトコルに準じた双方向データ送信用に構成されるようになっている、メディアインターフェース接続と、
前記メディアインターフェース接続を介してデータを送信するための送信器と、
前記メディアインターフェース接続を介して受信されるデータを受信するための受信器と、を備えている器械。
【請求項１３】
前記複数のチャネルの第１チャネルは、双方向データを送信するよう構成され、前記複数のチャネルの第２チャネルは、双方向データを受信するよう構成されるようになっている、請求項１２に記載の器械。
【請求項１４】
前記第２チャネルは、双方向データ送信では、一方向データ送信での前記第２チャネルの方向とは逆である方向に作動する、請求項１３に記載の器械。
【請求項１５】
前記第２チャネルは、前記第１チャネルより遅い速度で作動しているチャネルである、請求項１３に記載の器械。
【請求項１６】
前記複数のチャネルは、１つ又はそれ以上のデータチャネルと、クロックチャネルとを含んでいる、請求項１３に記載の器械。
【請求項１７】
前記第１チャネルは、前記１つ又はそれ以上のデータチャネルの或るデータチャネルであり、前記第２チャネルは前記クロックチャネルである、請求項１６に記載の器械。
【請求項１８】
前記複数のチャネルの第３チャネルは、クロック信号を送信するように構成されるようになっており、前記第３チャネルは前記１つ又はそれ以上のデータチャネルの第２のデータチャネルである、請求項１６に記載の器械。
【請求項１９】
前記メディアプロトコルは、ハイ-デフィニション・マルチメディア・インタフェース（ＨＤＭＩ）である、請求項１２に記載の器械。
【請求項２０】
前記双方向データ送信はコントローラによって指示される、請求項１２に記載の器械。
【請求項２１】
前記コントローラは、前記器械の中に含まれている、請求項２０に記載の器械。
【請求項２２】
前記コントローラは、前記メディアインターフェースに連結されている外部ユニットの中に含まれている、請求項２０に記載の器械。
【請求項２３】
前記コントローラは、ネットワークＰＨＹ（物理層）に連結されている、請求項２０に記載の器械。
【請求項２４】
前記ネットワークプロトコル標準はイーサネットである、請求項１２に記載の器械。
【請求項２５】
システムにおいて、
第１装置であって、一方向データ送信を提供するメディアプロトコルに適合していて且つデータ送信用の複数のチャネルを含んでいるメディアインターフェース接続を有している第１装置と、
第２装置であって、前記第１装置と接続するためのメディアインターフェース接続を有している第２装置と、を備えており、
前記第１装置と前記第２装置は、双方向データプロトコルに準じた双方向データ送信を行えるように交渉して、前記複数のデータチャネルを双方向データ送信用に構成するようになっている、システム。
【請求項２６】
前記複数のチャネルは、１つ又はそれ以上のデータチャネルと、クロックチャネルと、を含んでいる、請求項２５に記載のシステム。
【請求項２７】
前記複数のチャネルの構成は、前記１つ又はそれ以上のデータチャネルの第１データチャネルを、前記第１装置から前記第２装置へのデータ送信用に構成し、前記クロックチャネルを、前記第２装置から前記第１装置へのデータ送信用に構成することを含んでいる、請求項２６に記載のシステム。
【請求項２８】
前記複数のチャネルの構成は、前記１つ又はそれ以上のデータチャネルの第２データチャネルを、前記第１装置から前記第２装置へのクロック信号の送信用に構成することを含んでいる、請求項２７に記載のシステム。
【請求項２９】
前記メディアインターフェース接続は、ハイ-デフィニション・マルチメディア・インタフェース（ＨＤＭＩ）コネクタを含んでいる、請求項２５に記載のシステム。
【請求項３０】
前記メディアインターフェース接続は、帯域外チャネルを更に含んでおり、前記第１装置と前記第２装置は、双方向データ送信を行えるように交渉するのに前記帯域外チャネルを使用するようになっている、請求項２５に記載のシステム。
【請求項３１】
第３装置であって、前記第１装置と接続するためにメディアインターフェース接続を有している第３装置を更に備えている、請求項２５に記載のシステム。
【請求項３２】
前記第３装置に双方向データを伝送する能力がある場合は、前記第１装置は、前記第２装置と前記第３装置の間に伝送双方向データを提供するブリッジとして働く、請求項３１に記載のシステム。
【請求項３３】
前記第３装置に双方向データを送信する能力がない場合は、前記第１装置は、前記第２装置と前記第３装置の間の長さエクステンダとして働く、請求項３１に記載のシステム。
【請求項３４】
前記双方向データプロトコルを介したデータの送信を制御するためのコントローラと、前記双方向データプロトコル用の物理層（ＰＨＹ）と、を更に備えている、請求項２５に記載のシステム。
【発明の詳細な説明】
【技術分野】
【０００１】
本発明の実施形態は、概括的には、ネットワークの分野に、より厳密には、メディアインターフェースの双方向通信を提供するためのオペレーションのための方法と器械に関する。
【背景技術】
【０００２】
本出願は、２００７年７月２日出願の米国仮特許出願第６０／９５８，２７３号に関連しており、同仮出願に対する優先権を主張する。
【０００３】
マルチメディア装置の様な電子装置は、データを共有化し、利便性を向上させ、各要素をより十分に活用するために、ネットワーク内で一体に接続されることがある。例えば、家庭内又は他の類似環境内の或る特定の装置が一体に接続されることもある。その様な環境には、音声、映像、ゲーム、及び他の使用目的に供されるストリームデジタルメディアコンテンツの多数の潜在的なソース及びユーザーが存在している。
【０００４】
その様なネットワーク環境を提供する場合、既存のメディア装置とより新しいメディア装置が混在することがあるかもしれない。その様な装置は、データ用に利用できるインターフェースと接続の型式が互いに異なっているであろう。例えば、その様な装置は、ハイ-デフィニション・マルチメディア・インタフェース（ＨＤＭＩ）インターフェース（データストリーム送信用のデジタル音声／映像インターフェース）を含め、音声／映像データ用に設計されたインターフェースはもとより、イーサネットの様なネットワーク接続を含んでいるかもしれない。ＨＤＭＩは、メディア及び関連データの送信用装置から受信用装置への一方向送信を提供しており、一方、イーサネットの様なネットワークプロトコルは、装置間の双方向送信を提供している。
【先行技術文献】
【特許文献】
【０００５】
【特許文献１】米国仮特許出願第６０／９５８，２７３号
【非特許文献】
【０００６】
【非特許文献１】１９９６年８月３０日発行ＩＥＥＥ「高性能シリアルバスの標準」１３９４−１９９５頁及び付録（"Standard for a High Performance Serial Bus", １394-１995, IEEE, published August 30, １996 and supplements）
【発明の概要】
【０００７】
本発明の実施形態は、概して、メディアインターフェースの双方向通信を提供するためのオペレーションに着眼している。
【０００８】
本発明の第１の態様では、方法は、第１装置を第２装置にメディアインターフェースを介して接続する段階を含んでいる。メディアインターフェースは、一方向データ送信用の複数の通信チャネルを含んでおり、且つメディアプロトコルに従っている。本方法は、更に、第１装置と第２装置を双方向データ送信用に構成する段階であって、双方向データ送信がネットワークプロトコルに準じて行われるように、構成する段階と、双方向データを第１装置と第２装置の間でメディアインターフェースを介して送信する段階を提供している。
【０００９】
本発明の第２の態様では、器械は、一方向データ送信用の複数のチャネルを含んでいる、メディアプロトコル用のメディアインターフェース接続を含んでおり、メディアインターフェース接続の各チャネルはネットワークプロトコルに準じた双方向データ通信用に構成されるようになっている。器械は、更に、メディアインターフェース接続を介してデータを送信するための送信器と、メディアインターフェース接続を介して受信されるデータを受信するための受信器とを含んでいる。
【００１０】
本発明の各実施形態は、限定するためにではなく一例として、添付図面の各図に例示されており、図中、同様の符号は類似要素を表している。
【図面の簡単な説明】
【００１１】
【図１】装置間の通信を提供するシステムの或る実施形態を示している。
【図２】本発明の或る実施形態に利用されているＨＤＭＩ接続用のインターフェースを示している。
【図３】ネットワークプロトコルとメディアプロトコルの接続用の或るインターフェースを示している。
【図４】１つ又はそれ以上のメディアインターフェース接続を保有している装置の実施形態を示している。
【図５】或る娯楽ネットワークの実施形態を示している。
【図６】装置間でデータを伝送するためのプロセスの或る実施形態を示すフローチャートである。
【図７】本発明の或る実施形態に含まれている装置の或る実施形態を示している。
【発明を実施するための形態】
【００１２】
本発明の実施形態は、概して、メディアインターフェースの双方向通信を提供するためのオペレーションに着眼している。
【００１３】
ここで使用されている「娯楽ネットワーク」とは、装置間にデジタルメディアコンテンツ（音楽、音声／映像、ゲーム、写真、その他を含む）を配信するための相互接続ネットワークを意味する。娯楽ネットワークには、家庭内のネットワークの様な個人的な娯楽ネットワーク、業務用に設定された娯楽ネットワーク、又は他のあらゆる娯楽装置のネットワークが含まれていてもよい。その様なネットワークでは、或る特定のネットワーク装置は、デジタルテレビチューナー、ケーブルセットトップボックス、映像保存サーバ、及び他のソース装置の様な、メディアコンテンツのソースであってもよい。他の装置は、デジタルテレビ、ホームシアターシステム、音声システム、ゲームシステム、及び他の装置の様に、メディアコンテンツを表示又は使用するものであってもよい。また、或る特定の装置は、映像及び音声保存サーバの様に、メディアコンテンツを保存又は転写することを意図したものでもよい。或る特定の装置は、複数のメディア機能を果たすものであってもよい。幾つかの実施形態では、ネットワーク装置は、単一のローカルエリアネットワーク上に共に配置されていてもよい。他の実施形態では、ネットワーク装置は、ローカルエリアネットワーク同士の間を通るトンネリングの様に、複数のネットワークセグメントに亘っていてもよい。娯楽ネットワークは、複数のデータのエンコード及び暗号化プロセスを含んでいてもよい。
【００１４】
幾つかの実施形態では、ネットワークは、音声／映像データ及び関連データを輸送するためのメディアプロトコルとネットワークプロトコルの間にインターフェースを提供している。幾つかの実施形態では、通常は一方向データプロトコルに準じた一方向データ送信を提供するマルチメディア接続を利用して、ネットワーク装置同士の間の双方向接続の様な、双方向データプロトコルに準じた双方向データ送信が行えるようにしている。幾つかの実施形態では、ＨＤＭＩ適合装置の様な、メディア接続を含んでいる装置を、限定するわけではないがイーサネットを含め、ネットワーク接続と共に作動させることができる。ここで使用している「一方向の」とは、送信用装置から受信用装置への様な、単一方向にデータ通信を提供する装置、接続、又はチャネルを表している。しかしながら、一方向接続には、受信用装置から送信用装置へ送信される、制御信号の様な或る特定の信号又は発見プロセスも含まれる。ここで使用している「双方向の」とは、送信用装置から受信用装置へと受信用装置から送信用装置への両方の様な、二方向にデータ通信を提供する装置、接続、又はチャネルを表している。
【００１５】
メディアインターフェースは、送信用装置と受信用装置の間に、通常は一方向データ通信を提供するのに使用されている、複数の通信チャネルを含んでいてもよい。幾つかの実施形態では、メディアインターフェースの双方向通信を提供するためのオペレーションには、複数の通信チャネルの内の少なくとも１つの通信チャネルを、受信用装置から送信用装置への通信が提供されるように逆転させることが含まれている。幾つかの実施形態では、通信チャネルは、元の機能を著しく損なうことなく逆転を実行させることのできるチャネルなので、装置は通常の様式では一方向モードで作動させておくことができる。１つの例では、ＨＤＭＩインターフェースはクロックチャネルを含んでおり、幾つかの実施形態では、ＨＤＭＩクロックチャネルは、データトラフィックを受信用装置から送信用装置へ搬送するために逆転させることができる。
【００１６】
本発明の実施形態は、何れの特定のメディア又はネットワークプロトコルにも限定されるものではないが、ＨＤＭＩコネクタ及びインターフェースを双方向イーサネットデータの送信に利用することを含んでいる。ＨＤＭＩは、ハイ-デフィニション・マルチメディア・インタフェース規格１．３（２００６年６月２２日）及び関連規格、並びにそれ以前又はそれ以降のあらゆる規格を含んでいる。イーサネットは、ＩＥＥＥ（電気電子技術者協会）８０２．３標準及び関連標準、並びにそれ以前又はそれ以降のあらゆる標準を含んでいる。他の実施形態では、インターフェースは、高速送信を含め、データが双方向に交換されるようになっているどのシステムについても提供される。幾つかの実施形態では、送信プロトコルは、受信器がデータを翻訳できるようにするため、パケットデリミタを有しデータヘッダを含んでいるデータを含んでいてもよい。他にも幾つか例を挙げると、ビデオ・エレクトロニクス・スタンダーズ・アソシエーション（ＶＥＳＡ）によって確立されたDisplayPort（ディスプレイポート）又はＳＣＳＩ（スモール・コンピュータ・システム・インターフェース）データも、幾つかの実施形態ではメディアインターフェースを介して双方向に送信することができる。
【００１７】
幾つかの実施形態では、第１装置は、一方向データ送信を提供している既存の型式の接続を介して通信している。第１装置は、第１装置が通信する相手の装置の型式の能力次第で、一方向装置又は双方向装置のどちらとして作動することもできる。一例として、第１装置は第２装置と通信している。第１装置と第２装置は、或るネットワーク内の装置の内の２機である。第２装置は、レガシーメディア装置の様な一方向装置であってもよいし、又は第１装置のプロトコルを利用する新しいメディア装置の様な双方向装置であってもよい。第２装置が、例えばイーサネットの様なネットワークプロトコルをサポートしている場合、両装置は、一方向インターフェースを介し、イーサネットプロトコルに準じて互いが双方向にデータを交換し合えるように交渉することができる。
【００１８】
幾つかの実施形態では、ネットワーク内のメディアストリームデータの輸送に、既存のメディアコネクタを使用することができる。一例として、イーサネット接続を提供するのに、ＨＤＭＩコネクタを使用することができる。幾つかの例では、メディア装置用の既存のコネクタを、イーサネットデータ輸送用として共用することができる。
【００１９】
一例として、ＨＤＭＩ接続の様なメディア接続は、或る送信に送信器と受信器が関与する一方向接続である。しかしながら、イーサネット及び類似のネットワークプロトコルは、データが装置同士の間を行き交う双方向データプロトコルである。幾つかの実施形態では、一方向接続に使用されているその同じケーブルとコネクタを、双方向ネットワーク接続にも使用することができる。双方向通信で作動するために、送信器と受信器は、それぞれが、送信器と受信器を兼ね備えた送受信器として作動する。
【００２０】
しかしながら、或るケーブルを複数の接続型式に利用すると、データ経路に影響がでるかもしれない。高速信号を利用している場合、Ｉ／Ｏ経路に何か変化があれば、信号の完全性に悪影響が出る恐れがある。信号の完全性の低下は、データの損失又はデータ要素の不正挿入を引き起こし、その結果デジタルリンクの不具合が生じる可能性がある。幾つかの実施形態では、接続のチャネルは、信号の完全性を維持しながら双方向通信を提供するよう作動する。幾つかの実施形態では、通常は一方向通信での接続に使用されているチャネルは、双方通信が提供されるように逆転されるが、この時、チャネルは通信上の問題を引き起こす信号の完全性の問題を回避するように選定される。
【００２１】
例えば、ＨＤＭＩ１．３コネクタは、４対の信号接続を含んでおり、その内の３対は高速データ配線であり、１対は高速データ配線よりも低速で作動する程々に高速のクロック配線である。しかしながら、クロック配線は、一般にハイ-デフィニション・マルチメディアデータ及び関連データを輸送する高速データ配線に比較すると、クロックがより遅く、保有する情報量が相対的に少ないため、データ配線よりも中断には鈍感である。このため、クロックチャネルには、クロックの周期性が保たれ同じ周波数が維持される限り、クロック機能に大きな影響を与えることなく、双方向通信を行えるようにする上で割増容量を加算することができる。幾つかの実施形態では、クロック送信器及びクロック受信器としてしか利用しないというのではなく、クロック送信器が代わりに送信器と受信器を兼ね、クロック受信器が代わりに送信器と受信器を兼ねて、クロックチャネルを利用した双方向通信が行えるようにしている。或る実施形態では、ネットワークデータ信号の送信と受信が行えるようにクロックチャネルの修正が実施され、この時、クロックチャネルは、コネクタによってデータライン上を搬送される高速信号の完全性への影響を回避するために修正が施される。
【００２２】
幾つかの実施形態では、既存の製品と一方向式に接続して、既存の製品と同じやり方で働かせる場合、又は新しい製品と双方向オペレーションで接続する場合の、何れの場合でも、接続には装置、チップ、又は回路が利用されている。幾つかの実施形態では、「新しいチップ」（双方向オペレーションを行えるようにするチップの或る実施形態）を古い製品に接続すると、新しいチップは、一方向通信用の古いチップと同じやり方で作動する。しかしながら、新しいチップをもう１つの新しいチップに接続すると、両チップは、適切な発見プロトコルを使用してもう１つのチャネル上で互いを発見するプロセスを含め、双方向式に作動することができる。
【００２３】
幾つかの実施形態では、電力供給を受けるインターフェースは、データ送信を提供するための制御チップと、埋め込み又は外部のイーサネットＰＨＹ（物理層）と、必要な場合には絶縁変圧器を保有していてもよい。幾つかの実施形態では、電力は、受信端がデータ送信に使えるようにもなっている。幾つかの実施形態では、制御チップは、シリアル送信及び受信データを、埋め込み又は外部の以下のＰＨＹが使える形式に変換することになる。制御チップ、ＰＨＹ、絶縁変圧器の実施形は、実施形態毎に変わっていてもよい。或る特定の実施形態では、それら要素は装置に実装されている。或る特定の実施形態では、その様な要素の１つ又はそれ以上は、接続をサポートするのに使用されるインターフェースと連結される外部コネクタ又はユニット（一般にドングルと呼ばれる）に実装することもできる。
【００２４】
幾つかの実施形態では、通信の送信器側と受信器側の接続とオペレーションは以下の表１の通りであり、同表では、
→は、メディアコネクタから出る信号を意味し、
←は、メディアコネクタへ入る入力を意味し、
⇔は、二方向通信を意味する。
【００２５】
【表１】
2014060723.tif 000003
【００２６】
この実施形態では、Data2とData１の対は、それぞれ、自然な方向（送信器から受信器へ）で使用されており、Data2は、ネットワーク送信データ（送信器側から受信器側に送信されるデータ）を提供しており、Data１は、必要な場合にクロック信号を提供している。Data0配線は不使用である。幾つかの実施形態では、クロックは必要でないこともあり、その場合は、Data１配線も不使用となる。幾つかの実施形態では、Data0とData１配線は、不使用にしておくのではなく、他のデータ送信目的に使用されることになる。表１に提示されている実際の接続は単に一例であり、データ、クロック、又は他の使途に充てるものとして、どの様なデータ対を利用してもよい。この実施例では、TMDSクロック配線は、双方向通信能力を提供しており、受信器データ送信（データは受信器側から送信器側に送信される）に利用されている。幾つかの実施形態では、TMDSクロック配線の対は、通常のクロック信号送信方向と比べて逆向きに走っている。
【００２７】
イーサネット接続の様なネットワーク接続によって提供されるデータ送信速度は、実施形態により変わってもよい。一例を挙げると、インターフェースによって搬送されるデータ速度は最大で１．２５ギガビット／秒であり、システムは、このデータ速度の１０分の１まで交渉の余地があり、或いは必要なデータ速度を維持するためにデータストリームに詰め込みを行ってもよい。幾つかの実施形態では、双方向通信のデータ送信速度は、通常の一方向通信に比較すると相対的に低くなることもあり、その様な場合として、例えば、ハイ-デフィニション・マルチメディアデータの高速送信を挙げることができる。
【００２８】
幾つかの実施形態では、インターフェースは８Ｂ／１０Ｂエンコーディングを使用することになり、妥当なクロックリカバリを許容しながらＤＣバランスを提供するために、８ビット記号としてのデータの各バイトは１０ビット記号にマップされる。８Ｂ／１０Ｂエンコーディングは、例えば、１０ギガビットイーサネットポートを互いに及び他の電子装置に接続するためのＸＡＵＩ（１０ギガビット・アッタチメント・ユニット・インターフェース）標準で利用されている。（ＩＥＥＥ８０２．３ａｅ１０ＧｂＥ規格を参照）。幾つかの実施形態では、ＸＡＵＩシグナリングスキームをシステムで利用することができる。幾つかの実施形態では、送信は、修正されたメディアプロトコルインターフェースを利用できるように、２．５ギガボーに代えて１ギガボーの様に、送信速度を下げて行うことができる。
【００２９】
幾つかの実施形態では、インターフェースの制御チップは、安価な１ギガビットＰＨＹに接続するために、１．２５ギガビット／秒シリアルデータ速度からＧＭＩＩ（ギガビット・メディア・インディペンデント・インターフェース）信号か、又はＲＧＭＩＩ（リデュースド・ギガビット・メディア・インディペンデント・インターフェース）信号への変換を行ってもよい。幾つかの実施形態では、インターフェースは、更に、イーサネット送信用の、ＭＩＩ（メディア・インディペンデント・インターフェース）又はＲＭＩＩ（リデュースド・メディア・インディペンデント・インターフェース）、或いはＲＧＭＩＩを介して、１００メガビット／秒ＰＨＹに接続することができる。
【００３０】
幾つかの実施形態では、インターフェースの制御チップ（又はコントローラ）の活動を構成するのに、Hot Plug Detect信号又は他の類似スキームが使用されることになる。送信器に接続されている場合、コンピュータチップはＩ２Ｃスレーブとして作動し、その存在を宣伝する。受信器に接続されている場合、コンピュータチップはＩ２Ｃマスターとして作動し、その存在を公表する。信号は、クロック配線を、接続相手のＨＤＭＩチップとの協働が確立された後にしか駆動することができない。
【００３１】
幾つかの実施形態では、ＨＤＭＩ送信器からのクロックを、随意的にＨＤＭＩ受信器に提供することができ、このクロックが利用可能になることで、受信器の設計を大幅に簡素化できる可能性がある。しかしながら、クロック信号の送信は、全ての実施形態で必要とされるわけではない。幾つかの実施形態では、逆転させたＨＤＭＩクロックピンを横断してデータを送受するプロセスは、ＨＤＭＩ送信器からのクロックの送信無しに作動する。
【００３２】
図１は、装置同士の間に通信を提供するためのシステムの或る実施形態を示している。この図では、第１装置１０５は、第２装置１１０に、接続１１５を介して連結されている。幾つかの実施形態では、第１装置１０５は送信用装置であり、第２装置１１０は受信用装置である。幾つかの実施形態では、接続１１５は、ＨＤＭＩコネクタの様なメディア接続を介しており、その様な接続は、通常、送信用装置としての第１装置から第２装置への一方向データ送信である。幾つかの実施形態では、接続１１５は、ハイ-デフィニション・マルチメディアコンテンツ用の高速データチャネルとされている１つ又はそれ以上のデータチャネル１２０と、限定されたデータを送信するための相対的に遅いチャネルとされているクロックチャネル１２５を含んでいる。
【００３３】
幾つかの実施形態では、第１装置１０５と第２装置１１０は、装置同士の間でネットワークデータを送信するのに接続１１５を利用している。或る実施形態では、接続は、イーサネットデータの様なネットワーク通信データ１３０を、第１装置１０５と第２装置１１０の間で接続１１５を使用して双方向に送信している。幾つかの実施形態では、装置は、装置同士の間でデータを送信するのにデータライン１２０の１つ又はそれ以上とクロックライン１２５を利用している。幾つかの実施形態では、双方向通信が行えるように或るチャネルを通常の方向から逆転させることができる。幾つかの実施形態では、クロックライン１２５を、双方向通信用の逆転チャネルとして利用することができる。
【００３４】
幾つかの実施形態では、第１装置と第２装置は、双方向通信に対応できるようになっている場合、双方向ネットワークデータの送信をサポートするため、制御チップ１４５（コントローラとも呼ばれる）、ネットワークＰＨＹ１５０（イーサネットＰＨＹなど）、及び絶縁変圧器又は類似の絶縁要素を含んでいてもよい。幾つかの実施形態では、装置は、ネットワーク送信をサポートするのに、その様な要素を内部的には含まず、その様な装置の１つ又はそれ以上を含んでいる外部ドングル１４０を利用することもできる。装置が双方向送信に関わる際、第１装置１０５と第２装置１１０は共に送受信器として働き、而して、送信器１６０と受信器１６５の両方を含んでいる。
【００３５】
図２は、本発明の或る実施形態に利用されているＨＤＭＩ接続用のインターフェースを示している。ＨＤＭＩ接続は、通常、一方向データ通信を提供している。この図では。送信器装置２０５は、受信器装置２１０への一方向送信２２０用のパラレルデータ２１５を受信し、受信器装置２１０は、その後、その様なデータをパラレルデータ２２５に変換する。パラレル入力及び出力データは、映像データ２４０と２６６、音声データ２４２と２６８、制御データ２４４と２７０、帯域外信号チャネル２４６と２７２（装置間で様々な種類の信号を搬送するため多数のチャネルを含んでいる場合もある）、及びクロック信号２４８と２７４を含んでいる。データは、例えば、第１データチャネル（赤表示）２５６、第２データチャネル（緑）２５８、及び第３データチャネル（青）２６０を介して送信され、音声、映像、及び補助データパケットは、上記データチャネル上を運ばれる。また、クロックチャネル２６２と帯域外信号チャネルが存在している。表示されている様に、チャネルは、データ及びクロックチャネルについては終着点２５４で終わる高速一方向信号２５２であってもよいし、帯域外チャネルについては低速双方向信号２５０であってもよい。
【００３６】
幾つかの実施形態では、送信器装置２０５と受信器装置２１０の間のＨＤＭＩ接続２２０は、装置間のイーサネットデータの様なネットワークデータの送信が行えるようにするために利用されている。幾つかの実施形態では、通信チャネルは、通常のマルチメディアデータ送信に著しく干渉しないようにしながら、イーサネット送信をサポートするように修正される。
【００３７】
図３は、ネットワークプロトコルとメディアプロトコルの接続用のインターフェースを示している。幾つかの実施形態では、通常は一方向データ通信を提供するインターフェースが、双方向通信を提供するのに利用されている。この図では、送信器装置３０５は、受信器装置３１０への送信３２０用のパラレルデータ３１５を受信し、受信器装置３１０は、受信したデータをパラレルデータ３２５に変換する。パラレル入力及び出力データは、ここでも同様に、映像データ３４０と３６６、音声データ３４２と３６８、制御データ３４４と３７０、帯域外信号３４６と３７２、及びクロック信号３４８と３７４を含んでいてもよい。
【００３８】
送信器装置３０５と受信器装置の間の接続は、通常は送信用装置から受信用装置へのＨＤＭＩ送信の様な一方向送信であるかもしれない。しかしながら、幾つかの実施形態では、送信器装置３０５と受信器装置３１０が双方向に作動することができ、双方向通信を提供するよう交渉することができるようになっている場合、データチャネルは、装置間での双方向ネットワークデータ３２０の送信を有効にするやり方で作動する。幾つかの実施形態では、第１データチャネル３８０（インターフェースのデータチャネルの何れであってもよい）がデータを送信するのに使用され、一方で、第２データチャネル３８２と第３データチャネル３８４は、不使用であるか、クロック信号を搬送するか、又は他の送信器データ用に使用されるかの何れかとなる。１つの例を挙げると、第２データチャネル３８２はクロック信号を搬送するようにされ、一方、第３データチャネル３８４は不使用にされてもよい。幾つかの実施形態では、データチャネルの使用は、送信器装置３０５と受信器装置３１０の間での交渉によって確立され、例えば、デフォルト条件では、第１データチャネルはデータの送信に使用され、第２データチャネルはクロック信号の送信に使用され、第３チャネルは不使用にされる、ということになっていてもよい。
【００３９】
幾つかの実施形態では、例えばクロックチャネルの様な、インターフェースのチャネルは、受信データチャネル３８６となり、それにより、装置間での双方向通信が行えるようになる。幾つかの実施形態では、受信器データチャネル３８６は、データを通常のクロックチャネル送信と逆の方向に送信する。帯域外信号チャネル３８８も示されているが、これは、幾つかの実施形態では、ネットワーク装置の発見と構成に利用することができる。例えば、帯域外チャネル３８８は、両装置が双方向のオペレーションに対応できるようになっていて、その様なオペレーションに対応すべく交渉できるか否かを見い出すのに使用されてもよい。表示されている様に、チャネルは、データチャネルについては終着点３５４で終わる高速一方向信号３５２であってもよいし、帯域外チャネルについては低速双方向信号３５０であってもよい。例えば、送信データチャネル３８０と受信データチャネル３８６の使用を、双方向通信を生み出すのに活用することができる。幾つかの実施形態では、第１装置３０５と第２装置はイーサネット接続３３０及び３３５をサポートしているが、本発明の実施形態は、何れの特定のデータ送信にも限定されない。幾つかの実施形態では、送信器装置３０５と受信器装置３１０は、共に、ＨＤＭＩインターフェース３２０を使用して、限定するわけではないがイーサネットデータを含めた双方向ネットワークデータを交換する場合には、送受信器として作動する。
【００４０】
図４は、１つ又はそれ以上のメディアインターフェース接続を保有している装置の実施形態を示している。図では、装置４０５は、１つ又はそれ以上の他の装置と接続するどの様な装置であってもよく、他の装置には、限定するわけではないが図５に例示されている装置を含め、限定するわけではないが娯楽ネットワークの様なネットワーク内の装置が含まれる。例えば、装置は、テレビ、セットトップボックス、記憶装置、ゲームコンソール、又は他のメディア装置であってもよい。幾つかの実施形態では、装置は、１つ又はそれ以上のメディアインターフェース接続を含んでいてもよい。また、装置は、イーサネット又は他のネットワーク接続の様な、１つ又はそれ以上の他の接続を含んでいてもよい。
【００４１】
幾つかの実施形態では、装置４０５は、複数のデータチャネル４７０を含んでいる第１メディアインターフェース４６０を含んでいてもよい。例えば、第１メディアインターフェースは、通常は送信用装置と受信用装置の間にメディアデータ用の一方向接続を提供しているＨＤＭＩ適合コネクタを利用していてもよい。幾つかの実施形態では、第１メディアインターフェース４６０を、装置間での随意的な双方向データ送信を有効にするやり方で利用することができる。幾つかの実施形態では、装置４０５は、更に、複数のデータチャネル４８０を含んでいる第２メディアインターフェース４６５を含んでおり、同インターフェースは第２のＨＤＭＩ又は他のメディアコネクタを利用していてもよい。幾つかの実施形態では、第２メディアインターフェースも、装置間での随意的な双方向データ送信を有効にするやり方で利用することができる。
【００４２】
幾つかの実施形態では、装置４０５は、イーサネット又は他のネットワーク接続４５５の様な、１つ又はそれ以上の他の接続を含んでいてもよい。幾つかの実施形態では、装置４０５は、ネットワーク機能を提供するためにネットワークユニット４１０を含んでいる。幾つかの実施形態では、ネットワークユニット４１０は、データを処理するためのプロセッサを含んでいる。装置４０５は、更に、ネットワークのオペレーションをサポートするために、ＤＲＡＭ（ダイナミック・ランダム・アクセス・メモリ）４２０又は他の類似のメモリ及びフラッシュメモリ４２５又は他の不揮発性メモリ、の様なメモリを含んでいてもよい。装置４０５は、更に、それぞれに、ネットワーク接続４５５を介して、ネットワーク上でのデータ送信又はネットワークからのデータ受信を提供するために、データ送信ライン４３５とデータ受信ライン４４５を介して接続されている送信器４３０及び／又は受信器４４０を含んでいてもよい。１つの例では、ネットワーク接続４５５は、イーサネットネットワーク４５０の様なネットワークにつながっている。
【００４３】
幾つかの実施形態では、装置４０５は、第１メディアインターフェース４６０と第２メディアインターフェース４６５を利用して、他の装置の能力次第で長さエクステンダ又はネットワークブリッジとして働かせることもできる。幾つかの実施形態では、第１メディアインターフェース４６０をソースとして働かせ、第２メディアインターフェース４６５をデスティネーションとして働かせてもよい。例えば、第１メディアインターフェース４６０は、第１メディアインターフェース４６０に接続されているディスプレイ（図４には図示せず）の様な別の装置と交渉し、ディスプレイにネットワーク能力があれば、装置４０５は、そのデスティネーションポート（第２メディアインターフェース４６５）側で、装置４０５にはネットワーク能力があるのでネットワークブリッジを提供できる旨を宣伝することができる。第１メディアインターフェース４６０に取り付けられているディスプレイにネットワーク能力がなければ、装置４０５は、一方向限定装置として働き、而して、例えば、メディア装置のための長さエクステンダの役目を果たすことになる。
【００４４】
幾つかの実施形態では、第１又は第２メディアインターフェース接続は、メディアインターフェース接続を介して接続されている装置へ双方向データを送るために、ネットワーク接続４５５と協働することもできる。例えば、ディスプレイが第１メディア接続４６０に接続されていて、この接続されているディスプレイにネットワーク能力があれば、装置４０５は、ネットワーク４５０と第１メディアインターフェース接続４６０に取り付けられているディスプレイの間に双方向データを提供するのに利用することができるようになる。
【００４５】
装置４０５への追加接続が存在していてもよい。装置４０５は、更に、ここには示されていない装置を作動させるための数々の構成要素を含んでいてもよい。
【００４６】
図５は、娯楽ネットワークの実施形態を示している。この図では、娯楽ネットワークシステム５００は、適合するどのメディア装置にもネットワークへの接続を提供する。接続は、娯楽ネットワーク５０５への接続として示されている。幾つかの実施形態では、装置は、中央ネットワークサーバ無しにネットワークとして作動している。娯楽ネットワークを通して、メディアデータストリームを、接続されている装置なら何れの装置間に伝送してもよい。また、装置は、遠隔的にネットワークを通して制御されてもよい。装置は、同軸ケーブル、イーサネットケーブル、及びファイヤーワイヤを含め、どの既知のコネクタ及び接続プロトコルによっても、またWi-Fi、ブルートゥース、及び他の無線技術を介した無線接続によってもネットワークに接続することができる。幾つかの実施形態では、装置は、装置間のＨＤＭＩケーブル及びコネクタの使用によるイーサネット又は他のネットワーク接続送信を介して通信することができる。幾つかの実施形態では、通常は一方向のＨＤＭＩケーブルとコネクタが、ネットワーク内で接続されている装置間に双方向ネットワークのオペレーションを提供するのに利用されている。
【００４７】
幾つかの実施形態では、装置は、メディアソース又はレシピエントを含んでいてもよい。図５では、事務所５１０は、ゲートウェイ５２２を介してネットワーク５０５につながっているインターネット接続５２０を提供している。インターネットから受信されるデータには、限定するわけではないが、購入された音声ファイル（ダウンロードされた楽曲ファイルなど）、映像ファイル（映画、テレビ、その他など）、及びコンピュータゲームを含むあらゆるストリームメディアソースが含まれていてもよい。事務所５１０は、モニター５２６を利用しているパソコン５２４にも接続されており、モニター５２６は、他にも機能があるが、とりわけ或る特定のメディアストリームを再生すること又は或る特定のコンピュータゲームを作動させることができる。
【００４８】
娯楽ネットワークは、寝室５１２の装置にも接続されており、寝室には、例えば、テレビ５３２へデータを提供するセットトップボックス５３０が置かれている。また、寝室（又は何か他の空間）には、メディア記憶装置５２８が置かれているかもしれない。メディア記憶装置５２８は、データを、ネットワーク５０５に接続されているどのソースからも受信し、ネットワーク５０５に接続されているどのデータレシピエントにも提供することができる。メディア記憶装置５２８は、ネットワークのためのどの様な種類のメディアストリームデータを保有していてもよい。
【００４９】
システムには、更に、例えば、ケーブル又はファイバーシステム５３４からの、又はサテライトディッシュネットワーク５３６からの入力を受信する居間５１４が含まれている。その様なソースからのメディア入力は、ネットワーク５０５と第２のテレビ５４０とに接続されているセットトップボックス５３８に提供されることになる。ネットワーク５０５には、居間のテレビ５４０に表示させるために、ビデオゲームユニット５４２も接続されている。ネットワーク化された装置を有する部屋は、ネットワーク５０５に接続されている第３のテレビ５４４が置かれているキッチンなど、他に幾つ在ってもよい。ネットワーク装置は、限定するわけではないが、家中に設置されたスピーカを含んでいるステレオオーディオシステムを含め、他に存在していてもよい。
【００５０】
また、ネットワークには、幾つの移動式個人用電子装置が接続されていてもよい。装置は、ケーブルを介して接続されていてもよいし、限定するわけではないがブルートゥース、Wi-Fi、赤外線、又は他の類似の無線通信プロトコルを含む、無線信号を介して接続されていてもよい。その様なプロトコルは、それぞれに、例えばWi-Fi基地局の様なネットワーク（図５には図示せず）へのインターフェースを必要とする。その様な移動式個人用電子装置には、デジタルカメラ５４６、携帯電話５４８、個人用音楽装置５５０、又はビデオカメラ５５２が含まれていてもよい。また、自動車５５４内に置かれている移動式システムは、自動車がネットワークの近くに在る時（例えば、家の車庫に入っている時など）には、ネットワーク５０５に接続することができる。移動式個人用電子装置は、例えば、ネットワークの範囲内に在る時にはネットワークに自動的に接続されるようになっていてもよい。接続されている間は、装置は、恐らくは装置への自動更新又はダウンロードを含め、ネットワークを通してデータを取得するのに、又はネットワークへデータを提供するのに使用することができる。１つの例では、ユーザーは、移動式電子装置の何れに保有されているデータにもネットワークを通してアクセスすることができ、例えば、セットトップボックス５３８を介して居間のテレビ５４０に映し出されたデジタルカメラ５４６に保存されている写真にアクセスすることなどができる。
【００５１】
ネットワークに接続されている装置は機能が異なるため、ネットワークを通して伝送されるデータには、あらゆる既知の映像及び音声プロトコルを含め、多くの異なるデータプロトコルが含まれることになる。１つの例では、メディア記憶装置５２８は、複数の異なるメディアプロトコルのデータを取得し、保存し、及び提供することが求められるかもしれない。
【００５２】
図６は、装置間でデータを伝送するためのプロセスの或る実施形態を示すフローチャートである。図示のプロセスでは、６０２で、第１装置は第２装置に、ＨＤＭＩコネクタの様なメディアコネクタを介して接続されている。幾つかの実施形態では、メディアコネクタを介するオペレーションは、通常は、第１装置（送信用装置）から第２装置（受信用装置）への様な一方向になっている。両装置が、例えばイーサネット能力の様なネットワーク能力を有しておれば、６０４で、装置はネットワーク標準に準じて各自の利用可能性を宣伝又は公表する。利用可能性の宣伝又は公表は、例えば、帯域外信号チャネル又は他の利用可能なチャネル、例えば図３に示されている帯域外信号チャネル３８８、を介して送信される。６０６で、イーサネットを介して送信されるべきデータが在って、６１０で、両装置がＨＤＭＩコネクタを介してイーサネット送信を行える能力を有していれば、６１２で、両装置はイーサネット送信が行えるように構成されることになる。そうでない場合は、６０８で、両装置はＨＤＭＩデータの通常送信の様な、通常の一方向メディア送信を実行する。
【００５３】
イーサネット用に構成された後、両装置は双方向イーサネット送信を開始することになる。幾つかの実施形態では、データの送信には、第１装置から第２装置への第１チャネルを介したデータの送信と、第２装置から第１装置への第２チャネルを介したデータの送信が含まれる。或る特定の実施形態では、６１６で、データの送信には、第１装置から第２装置への３つのＨＤＭＩデータチャネルの第１データチャネルを介したデータの送信と、第２装置から第１装置へのＨＤＭＩクロックチャネルを介したデータの送信とが含まれ、こうして、クロックチャネルがその通常のオペレーションとは逆に用いられている。或る特定の実施形態では、６１８で、必要であれば、第１装置からの第２装置へのクロック信号が、第１装置から第２装置へ、第２ＨＤＭＩデータチャネルを介して送信される。６２０で、イーサネットデータの送信が完了すると、装置は、６０８での通常のＨＤＭＩ送信か又は追加のイーサネット送信かのどちらかに戻る。
【００５４】
図７は、本発明の或る実施形態に含まれている装置の或る実施形態を示している。この図では、この説明と密接な関係の無い或る特定の標準的で周知されている構成要素は示していない。幾つかの実施形態の下で、装置７００は、送信用装置又は受信用装置のどちらであってもよい。幾つかの実施形態では、装置７００はメディアインターフェース７８５を含んでおり、同メディアインターフェースは、ＨＤＭＩコネクタを含んでいてもよいし、他のメディアコネクタを含んでいてもよい。幾つかの実施形態では、メディアインターフェース７８５は、通常は一方向データ通信を提供しているが、その様なインターフェースは、外部装置７９０の様な接続されている装置が双方向通信に対応できるようになっている場合には、この接続されている装置との潜在的な双方向通信を有効にするやり方で実施される。
【００５５】
幾つかの実施形態の下では、装置７００は、相互接続又はクロスバー７０５、又は高速データ輸送を含め、情報を交わすための他の通信手段を備えている。装置７００は、更に、情報を処理するために相互接続７０５に連結されている１つ又はそれ以上のプロセッサ７１０の様な処理手段を含んでいる。プロセッサ７１０は、１つ又はそれ以上の物理的プロセッサを備えていてもよいし、１つ又はそれ以上の論理的プロセッサを備えていてもよい。更に、プロセッサ７１０のそれぞれは、複数のプロセッサコアを含んでいてもよい。相互接続７０５は、分かり易くするために単一の相互接続として示されているが、それは、複数の異なる相互接続又はバスであってもよく、その様な相互接続に対する構成要素の接続は異なっていてもよい。図７に示されている相互接続７０５は、任意の１つ又はそれ以上の別体の物理的バスであるか、２地点間接続であるか、又はその両者であって適切なブリッジ、アダプタ、又はコントローラによって接続されている物、を表現している抽象化物である。相互接続７０５には、例えば、システムバス、ＰＣＩ又はＰＣＩｅバス、ハイパートランスポート、又は業界標準アーキテクチャ（ＩＳＡ）バス、スモール・コンピュータ・システム・インターフェース（ＳＣＳＩ）バス、ＩＩＣ（Ｉ２Ｃ）バス、又は時に「ファイヤーワイヤ」とも呼ばれる電気電子技術者協会（ＩＥＥＥ）標準１３９４バスが含まれる。（１９９６年８月３０日発行ＩＥＥＥ「高性能シリアルバスの標準」１３９４−１９９５頁及び付録（"Standard for a High Performance Serial Bus", １394-１995, IEEE, published August 30, １996 and supplements）。）装置７００は、更に、ＵＳＢバス７７０の様なシリアルバスを含んでいてもよく、それには、装置Ａ７５５及び装置Ｂ７８０の様な１つ又はそれ以上のＵＳＢ適合装置が取り付けられていてもよい。
【００５６】
幾つかの実施形態では、プロセッサ７１０は、１つ又はそれ以上のバーチャルマシンをサポートするのに利用することができる。幾つかの実施形態では、装置７００は、更に、プロセッサ７１０によって実行される情報と命令を記憶するために、ランダムアクセスメモリ（ＲＡＭ）又は他のダイナミック記憶装置を主メモリ７２０として備えている。主メモリ７２０は、プロセッサ７１０が命令を実行している間、一時的な変数又は他の中間的な情報を記憶しておくのにも使用することができる。ＲＡＭメモリには、メモリの内容をリフレッシュする必要のあるダイナミック・ランダム・アクセス・メモリ（ＤＲＡＭ）と、内容をリフレッシュする必要はないが費用が高くつくスタティック・ランダム・アクセス・メモリ（ＳＲＡＭ）が含まれる。ＤＲＡＭメモリには、信号を制御するためのクロック信号を含んでいるシンクロナス・ダイナミック・ランダム・アクセス・メモリ（ＳＤＲＡＭ）と、エクステンディッド・データ−アウト・ダイナミック・ランダム・アクセス・メモリ（ＥＤＯ ＤＲＡＭ）が含まれる。幾つかの実施形態では、システムのメモリは、装置内の複数のエージェントによるアクセスが可能な共有化されたＢＩＯＳ／ＯＳメモリの様な共有化されたメモリを含んでいてもよい。装置７００は、更に、読み出し専用メモリ（ＲＯＭ）７２５、又はプロセッサ７１０のための静的情報と命令を記憶するための他の静的記憶装置を備えていてもよい。装置７００は、限定するわけではないが、システムＢＩＯＳ及び１つ又はそれ以上のプレＯＳアプリケーションを含め、或る特定の要素の記憶装置として、１つ又はそれ以上の不揮発性メモリ装置７３０を含んでいてもよい。
【００５７】
情報と命令を記憶するために、装置７００の相互接続７０５には、更にデータ記憶装置７３５が連結されていてもよい。データ記憶装置７３５には、磁気ディスク、光学ディスクとそれ用のドライブ、又は他のメモリ装置が含まれていてもよい。その様な要素は、一体に組み合わされていてもよいし、又は別々の構成要素であって、装置７００の他の要素の一部を利用していてもよい。或る特定の実施形態では、データ記憶装置７３５は、ハードディスク７３６を含んでいてもよい。
【００５８】
装置７００は、バス７０５を介して、ブラウン管（ＣＲＴ）ディスプレイ、液晶ディスプレイ（ＬＣＤ）、プラズマディスプレイ、又は他のディスプレイ技術によるものなど、エンドユーザーに情報を表示するためのディスプレイ７４０に連結されていてもよい。幾つかの実施形態では、ディスプレイ７４０は、テレビ番組を表示するのに利用することができる。幾つかの実施形態では、ディスプレイ７４０は、入力装置の少なくとも一部としても利用されるタッチスクリーンを含んでいてもよい。幾つかの実施形態では、ディスプレイ７４０は、テレビ番組の音声部分を含め、音声情報を提供するためのスピーカーの様な音声装置であるか又はその様な装置を含んでいてもよい。相互接続７０５には、プロセッサ７１０へ情報及び／又はコマンド選択を連絡するために、入力装置７４５が連結されていてもよい。様々な実施形では、入力装置は７４５は、キーボード、キーパッド、タッチスクリーンとスタイラス、音声作動式システム、又は他の入力装置、或いはその様な装置の組合せであってもよい。含むことのできるユーザー入力装置の別の型式として、１つ又はそれ以上のプロセッサ７１０へ方向情報とコマンド選択を連絡するため及びディスプレイ７４０上でのカーソルの動きを制御するための、マウス、トラックボール、１つ又はそれ以上のカーソル方向キーの様なカーソル制御装置７５０がある。
【００５９】
相互接続７０５には、１つ又はそれ以上の通信要素７５５も連結されている。実施形態によっては、通信要素７５５は、送受信器、無線モデム、ネットワークインターフェースカード、マザーボード上のＬＡＮ（ローカルエリアネットワーク）、又は他のインターフェース装置を含んでいてもよい。通信要素７５５は、イーサネットデータの様なネットワークデータを送信するために、ネットワーク７６５への接続を提供することができる。通信装置７５５の使用には、無線装置からの信号の受信が含まれていてもよい。無線通信では、通信装置７５５は、必要に応じてあらゆるダイポール又はモノポールアンテナを含め、１つ又はそれ以上のアンテナ７５８を含んでいてもよい。１つの実施形態では、通信要素７５５は、装置７００を不正アクセスから護るファイヤーウォールを含んでいてもよい。装置７００は、更に、電力装置又はシステム７６０を含んでいてもよく、それは、電源装置、バッテリ、太陽電池、燃料電池、又は電力を提供又は発生させるための他のシステム又は装置を備えていてもよい。電力装置又はシステム７６０によって提供される電力は、装置７００の要素の必要量に応じて配給されてもよい。
【００６０】
以上の記述には、説明を目的として、本発明を十分に理解して頂くために数多くの特定の詳細事項が示されている。しかしながら、当業者には自明の様に、本発明は、これらの特定の詳細事項の幾つかがなくても実施することができる。また、他の例を挙げると、周知の構造及び装置はブロック図の形式で示されている。図示されている構成要素の間には中間的な構造が介在していてもよい。ここに説明され図示されている構成要素は、図示及び説明されていない追加的な入力又は出力部を有していてもよい。図示の要素又は構成要素は、任意のフィールドの並び変え又はフィールドサイズの修正を含め、異なる配列又は順序に配置することもできる。
【００６１】
本発明は、様々なプロセスを含んでいてもよい。本発明のプロセスは、ハードウェア構成要素によって行われてもよいし、機械実行可能命令の中に具体化されていてもよく、それらは、命令でプログラムでされている汎用又は特殊用途のプロセッサ又は論理回路に当該プロセスを実行させるために用いられる。代わりに、プロセスは、ハードウェアとソフトウェアの組合せによって実行されてもよい。
【００６２】
本発明の諸部分は、コンピュータプログラム製品として提供することができ、その様な製品は、本発明によるプロセスを実行するようコンピュータ（又は他の電子装置）をプログラムするのに使用されるコンピュータプログラム命令を記憶させたコンピュータ読み取り可能媒体を含んでいてもよい。機械読み取り可能媒体には、限定するわけではないが、フロッピーディスク、光学ディスク、ＣＤ−ＲＯＭ（コンパクトディスク読み取り専用メモリ）、及び磁気光学ディスク、ＲＯＭ（読み取り専用メモリ）、ＲＡＭ（ランダム・アクセス・メモリ）、ＥＰＲＯＭ（消去可能プログラム可能読み取り専用メモリ）、ＥＥＰＲＯＭ（電気的消去可能プログラム可能読み取り専用メモリ）、磁気又は光学カード、フラッシュメモリ、又は電子命令を記憶するのに適した他の種類の媒体／機械読み取り可能媒体が含まれる。更に、本発明は、コンピュータプログラム製品としてダウンロードされるようにし、プログラムが遠隔のコンピュータから要求側コンピュータに伝送されるようにしてもよい。
【００６３】
方法の多くは、それらの最も基本的な形態で説明されているが、本発明の基本的な範囲から逸脱することなく、それら方法の何れに対してもプロセスを追加又は削除することができるし、記載されているメッセージの何れに対しても情報を追加又は省略することもできる。当業者には自明の様に、多くの更なる修正及び改造を施すことができる。特定の実施形態は、本発明を限定するためにではなく説明するために提供されている。
【００６４】
要素「Ａ」が、要素「Ｂ」に又は要素「Ｂ」と、連結されているという場合、要素Ａは、要素Ｂに直に連結されていてもよいし、例えば要素Ｃを通して間接的に連結されていてもよい。明細書で、構成要素、特徴、構造、プロセス、又は特性Ａが、構成要素、特徴、構造、プロセス、又は特性Ｂを「引き起こす、〜させる」と書き表されている場合、「Ａ」は「Ｂ」の少なくとも部分的な原因であることを意味するが、但し「Ｂ」を生じさせることを支援する少なくとも１つの他の構成要素、特徴、構造、プロセス、又は特性が存在している場合もあるという意味である。明細書で、構成要素、特徴、構造、プロセス、又は特性が、「含まれていてもよい」、「含まれている場合もある」、又は「含めることができる」と表されている場合、当該の特定の構成要素、特徴、構造、プロセス、又は特性が含まれることが要求されているわけではない。明細書で、「或る」又は「一」要素という場合、これは、記載要素が１つしかないという意味ではない。
【００６５】
実施形態は、本発明の実施形又は実施例である。明細書で、「或る実施形態」、「１つの実施形態」、「幾つかの実施形態」、又は「他の実施形態」という場合、当該実施形態に関連して記載されている特定の特徴、構造、又は特性は、少なくとも幾つかの実施形態には含まれているが、必ずしも全ての実施形態に含まれているとは限らないという意味である。「或る実施形態」、「１つの実施形態」、又は「幾つかの実施形態」は様々に登場するが、必ずしも全てが同一の実施形態を指しているわけではない。なお、本発明の代表的な実施形態の以上の説明の中で、本発明の様々な特徴は、開示を合理化して様々な発明的態様の１つ又はそれ以上を理解する上で役立てることを目的に、まとめて単一の実施形態、図、又は記述としてグループ化されている場合もあるものと理解頂きたい。
【図１】
2014060723.tif 000004
【図２】
2014060723.tif 000005
【図３】
2014060723.tif 000006
【図４】
2014060723.tif 000007
【図５】
2014060723.tif 000008
【図６】
2014060723.tif 000009
【図７】
2014060723.tif 000010
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
メディアインターフェースを介して、メディアプロトコル用の送信用装置である第１装置を、受信用装置である第２装置に接続する段階を含み、
前記メディアインターフェースは、前記第１装置から前記第２装置への一方向データ送信用モードの複数の通信チャネルを含んでいて且つメディアプロトコルに従っており、    前記複数の通信チャネルは、前記第１装置から前記第２装置へのデータ送信用として第１通信チャンネルと第２通信チャンネル、及び前記第１装置から前記第２装置へのクロック信号送信用として前記一方向データ送信モード用の第３通信チャンネルを含み、さらに、
前記第２装置が双方向データ送信モード用に使用可能であることを前記第１装置により見つける段階と、
前記第２装置が前記双方向データ送信モード用に使用可能であることを見つけることに呼応して、前記第１装置と前記第２装置を、ネットワークプロトコルに準じて行われる双方向データ送信用に構成する段階と、
前記第１装置と前記第２装置の間で双方向データを前記メディアインターフェースを介して送信する段階であって、双方向データを送信することは、前記第１通信チャンネルを介して前記第１装置から前記第２装置へデータを送信すること、前記第３通信チャンネルを介して前記第２装置から前記第１装置へデータを送信することを含み、且つ、前記第３通信チャンネルは、前記一方向データ送信モード用のクロック信号を送信する時の第３通信チャンネルの方向とは逆の、双方向データ送信時のデータ送信モード用の方向に作動する当該段階と、
を含む方法。
【請求項２】
前記第３通信チャネルは、前記第１通信チャンネル及び前記第２通信チャンネルの送信よりも遅く且つノイズに鈍感な送信用チャンネルである、請求項１に記載の方法。
【請求項３】
前記第３通信チャネルは、前記第３通信チャネルの一方向データ通信のためのオペレーションを損なうことなく、双方向データ通信に使用することができるチャネルである、請求項１に記載の方法。
【請求項４】
双方向データを送信する前記段階は、前記第２通信チャンネルを介して、前記第１装置から前記第２装置へクロック信号を送信することを更に含む、請求項１に記載の方法。
【請求項５】
前記メディアインターフェースは、ハイ-デフィニション・マルチメディア・インタフェース（ＨＤＭＩ）であり、前記ネットワークプロトコルはイーサネット（Ｒ）である、請求項１に記載の方法。
【請求項６】
前記メディアインターフェースの接続はさらに帯域外チャンネルを含み、前記第２装置が前記双方向データ送信モードで利用可能であることを発見する前記第１装置が、前記帯域外チャンネルを用いながら双方向データ送信に向けて交渉する前記第１装置及び第２装置を含んでいる、請求項１に記載の方法。
【請求項７】
前記メディアインターフェースを介して前記第１装置を前記第２装置に接続することは、前記第１装置と前記第２装置との間で、双方向ネットワークデータの送信をサポートする外部ドングル(dongle)要素に接続することを含む、請求項１に記載の方法。
【請求項８】
前記第１装置を第３装置に第２メディアインターフェースを介して接続する段階を更に含んでいる、請求項１に記載の方法。
【請求項９】
メディアインターフェースを介して双方向通信を提供する装置であって、
メディアプロトコルを用いながらデータを送信する受信装置と接続するためのメディアインターフェース接続を備え、当該メディアインターフェース接続は、前記装置から前記受信装置への一方向データ送信モード用の複数の通信チャネルを含み、前記複数の通信チャネルは、データ送信用として第１通信チャンネルと第２通信チャンネル、前記装置から前記受信装置へのクロック信号送信用として前記一方向データ送信モード用の第３通信チャンネルを含み、さらに、
前記メディアインターフェースの接続を介してデータを送信するための送信器と、
前記メディアインターフェースの接続を介してデータを受信するための受信器とを備え、
前記装置は、
前記受信装置が双方向データ送信モード用に使用可能なであることを見つけるように作動し、
前記受信装置が前記双方向データ送信モード用に使用可能であることを見つけることに呼応して、メディアインターフェース接続のチャンネルを前記双方向データ送信モード用として構成し、前記第１通信チャンネルは前記受信装置へデータを送信するように構成され、前記第３通信チャンネルは前記受信装置からデータを受信するように構成され、更に前記第３通信チャンネルは、前記一方向データ送信モード用のクロック信号を送信する時の第３通信チャンネルの方向とは逆の、前記双方向データ送信モード用の方向に作動することを特徴とする装置。
【請求項１０】
前記第３通信チャネルは、前記第１通信チャンネル及び前記第２通信チャンネルの送信よりも遅く且つノイズに鈍感な送信用チャンネルである、請求項９に記載の装置。
【請求項１１】
双方向データを送信するために前記メディアインターフェース接続のチャンネルを構成することは、前記第２通信チャンネルが前記第１装置から前記受信装置へクロック信号を送信するように構成されていることを含む、請求項９に記載の装置。
【請求項１２】
前記メディアプロトコルは、ハイ-デフィニション・マルチメディア・インタフェース（ＨＤＭＩ）であり、前記ネットワークプロトコルはイーサネット（Ｒ）である、請求項９に記載の装置。
【請求項１３】
前記双方向データ送信はコントローラによって指示される、請求項９に記載の装置。
【請求項１４】
前記コントローラは、前記器械の中に含まれている、請求項１３に記載の装置。
【請求項１５】
前記コントローラは、前記メディアインターフェースに連結されている外部ユニットの中に含まれている、請求項１３に記載の装置。
【請求項１６】
前記コントローラは、ネットワークＰＨＹ（物理層）に連結されている、請求項１３に記載の装置。
【請求項１７】
第１装置と第２装置を備えたシステムであって
前記第１装置は、一方向データ送信を提供するメディアプロトコルに適合していて且つデータを送信するメディアインターフェース接続を有し、前記メディアインターフェース接続が一方向データ送信用の複数の通信チャネルを含み、当該複数の通信チャネルは、データを送信するための第１通信チャンネルと第２通信チャンネル、及び一方向データ送信モードでクロック信号を送信するために第３通信チャンネルを含み、
前記第２装置は、前記第１装置と接続するためのメディアインターフェース接続を有し、さらに、
前記第１装置と前記第２装置は、双方向データプロトコルに準じた双方向データ送信モードを行えるように交渉するためのものであり、前記複数のデータチャネルを双方向データ送信用に構成され、
前記第１装置は、前記メディアインターフェースの帯域外チャンネルを用いながら双方向通信に利用可能であり、
前記第１装置及び前記第２装置により双方向データ送信の交渉が行われると、前記第１装置及び前記第２装置は、前記メディアインターフェースの接続のチャンネルを前記双方向データ送信用として構成し、前記第１通信チャンネルは前記第１装置から前記第２装置へデータを送信するように構成され、前記第３通信チャンネルは前記第２装置から前記第１装置へデータを送信するように構成され、更に前記第３通信チャンネルは、前記一方向データ送信モード用のクロック信号を送信する時の第３通信チャンネルの方向とは逆の、前記双方向データ送信モード用の方向に作動する、
ことを特徴とするシステム。
【請求項１８】
前記第３通信チャネルは、前記第１通信チャンネル及び前記第２通信チャンネルの送信よりも遅く且つノイズに鈍感な送信用チャンネルである、請求項１７に記載のシステム。
【請求項１９】
双方向データを送信するために前記メディアインターフェース接続のチャンネルを構成する前記第１及び第２の装置は、前記第１装置から前記受信装置へクロック信号を送信するように構成されている前記第２通信チャンネルを含む、請求項１７に記載の装置。
【請求項２０】
前記メディアインターフェース接続は、ハイ-デフィニション・マルチメディア・インタフェース（ＨＤＭＩ）コネクタを含んでいる、請求項１７に記載のシステム。
【請求項２１】
前記メディアインターフェース接続は、帯域外チャネルを更に含んでおり、前記第１装置と前記第２装置は、双方向データ送信を行えるように交渉するのに前記帯域外チャネルを使用するようになっている、請求項１７に記載のシステム。
【請求項２２】
第３装置であって、前記第１装置と接続するためにメディアインターフェース接続を有している第３装置を更に備えている、請求項１７に記載のシステム。
【請求項２３】
前記第３装置に双方向データを伝送する能力がある場合は、前記第１装置は、前記第２装置と前記第３装置の間に伝送双方向データを提供するブリッジとして働く、請求項２２に記載のシステム。
【請求項２４】
前記第３装置に双方向データを送信する能力がない場合は、前記第１装置は、前記第２装置と前記第３装置の間の長さエクステンダとして働く、請求項２２に記載のシステム。
【請求項２５】
前記双方向データプロトコルを介したデータの送信を制御するためのコントローラと、前記双方向データプロトコル用の物理層（ＰＨＹ）と、を更に備えている、請求項１９に記載のシステム。